(57)【要約】セル識別子、または、複数のセルのために共通のその他のパラメータに少なくとも部分的に基づいて基準信号（ＲＳ）を送信するためのシーケンスを生成することを容易にする方法および装置が提供される。複数のセルが、マルチ・ユーザ複数入力複数出力（ＭＩＭＯ）におけるデバイスへ類似の統合アップリンク・リソースを提供する場合、デバイスは、統合アップリンク・リソースで、複数のセルへ信号を送信しうる。セル特有の識別子またはその他のパラメータに基づいて生成されたシーケンスにしたがって送信されたＲＳの場合、複数のセルがすべてＲＳを復号できるように、デバイスは、セル識別子、または、複数のセルに共通のその他のパラメータを利用しうる。この点ついても同様に、複数のセルはおのおの、ＲＳを適切に復号するために、共通のセル識別子またはその他のパラメータを受信または生成しうる。
2013507061.tif 000002
【特許請求の範囲】
【請求項１】
無線通信における基準信号送信のための方法であって、
複数のセルに共通のセル識別子を獲得することと、
前記セル識別子に少なくとも部分的に基づいて、準ランダム・シーケンス（ＰＲＳ）を生成することと、
前記ＰＲＳに少なくとも基づいて、前記複数のセルへ１または複数の基準信号を送信することと、
を備える方法。
【請求項２】
前記ＰＲＳを生成することは、前記セル識別子に少なくとも部分的に基づいて、前記ＰＲＳを初期化することを備える、請求項１に記載の方法。
【請求項３】
前記複数のセルに共通の１または複数のパラメータを獲得することをさらに備え、
前記初期化することはさらに、前記１または複数のパラメータに少なくとも部分的に基づく、請求項２に記載の方法。
【請求項４】
前記１または複数のパラメータは、シーケンス・シフト・パターンまたはコードワード・インデクスに関連する、請求項３に記載の方法。
【請求項５】
前記複数のセルのためのスロット・インデクス・アライメントを決定することをさらに備え、
前記ＰＲＳを生成することはさらに、前記スロット・インデクス・アライメントに少なくとも部分的に基づく、請求項１に記載の方法。
【請求項６】
前記セル識別子に少なくとも部分的に基づいて、期間にわたって前記ＰＲＳをサイクリックにシフトするための別のＰＲＳを生成することをさらに備える、請求項５に記載の方法。
【請求項７】
前記セル識別子に少なくとも部分的に基づいて、前記ＰＲＳのためのグループ・ホッピング・パターンを決定することをさらに備え、
前記ＰＲＳを生成することはさらに、前記グループ・ホッピング・パターンに少なくとも部分的に基づく、請求項５に記載の方法。
【請求項８】
前記セル識別子に少なくとも部分的に基づいて、前記ＰＲＳのためのシーケンス・ホッピングを決定することをさらに備え、
前記ＰＲＳを生成することはさらに、前記グループ・ホッピング・パターン内のシーケンス・ホッピングに少なくとも部分的に基づく、請求項７に記載の方法。
【請求項９】
前記セル識別子を獲得することは、前記セル識別子を基地局から受信すること、または、前記複数のセルに関連付けられた１または複数の基地局から受信した１または複数の別のセル識別子に少なくとも部分的に基づいて前記セル識別子を生成すること、を含む請求項１に記載の方法。
【請求項１０】
前記セル識別子は、前記複数のセルにおけるサービス提供セルに関連する、請求項１に記載の方法。
【請求項１１】
基準信号送信のための無線通信装置であって、
複数のセルに共通のセル識別子を決定し、
前記セル識別子に少なくとも部分的に基づいて、準ランダム・シーケンス（ＰＲＳ）を生成し、
前記ＰＲＳに少なくとも基づいて、類似のリソース割当によって前記複数のセルへ１または複数の基準信号を送信する、
ように構成された少なくとも１つのプロセッサを備える、無線通信装置。
【請求項１２】
前記少なくとも１つのプロセッサは、前記セル識別子に少なくとも部分的に基づいて、前記ＰＲＳを初期化することによって前記ＰＲＳを少なくとも部分的に生成する、請求項１１に記載の無線通信装置。
【請求項１３】
前記少なくとも１つのプロセッサはさらに、前記複数のセルに共通の１または複数のパラメータを獲得するように構成され、
前記少なくとも１つのプロセッサは、さらに前記１または複数のパラメータに少なくとも部分的に基づいて前記ＰＲＳを初期化する、請求項１２に記載の無線通信装置。
【請求項１４】
前記１または複数のパラメータは、シーケンス・シフト・パターンまたはコードワード・インデクスに関連する、請求項１３に記載の無線通信装置。
【請求項１５】
前記少なくとも１つのプロセッサはさらに、前記複数のセルのためのスロット・インデクス・アライメントを決定するように構成され、
前記少なくとも１つのプロセッサは、さらに前記スロット・インデクス・アライメントに少なくとも部分的に基づいて前記ＰＲＳを生成する、請求項１１に記載の無線通信装置。
【請求項１６】
前記少なくとも１つのプロセッサはさらに、前記セル識別子に少なくとも部分的に基づいて、期間にわたって前記ＰＲＳをサイクリックにシフトするための別のＰＲＳを生成するように構成された、請求項１５に記載の無線通信装置。
【請求項１７】
前記少なくとも１つのプロセッサはさらに、前記セル識別子に少なくとも部分的に基づいて、前記ＰＲＳのためのグループ・ホッピング・パターンを決定するように構成され、
前記少なくとも１つのプロセッサは、さらに前記グループ・ホッピング・パターンに少なくとも部分的に基づいて前記ＰＲＳを生成する、請求項１５に記載の無線通信装置。
【請求項１８】
前記少なくとも１つのプロセッサはさらに、前記セル識別子に少なくとも部分的に基づいて、前記ＰＲＳのためのシーケンス・ホッピングを決定するように構成され、
前記少なくとも１つのプロセッサは、前記グループ・ホッピング・パターン内のシーケンス・ホッピングにさらに少なくとも部分的に基づいて前記ＰＲＳを生成する、請求項１７に記載の無線通信装置。
【請求項１９】
前記少なくとも１つのプロセッサは、前記セル識別子を基地局から受信すること、または、前記複数のセルに関連付けられた１または複数の基地局から受信した１または複数の別のセル識別子に少なくとも部分的に基づいて、前記セル識別子を生成すること、に少なくとも部分的に基づいて、前記セル識別子を決定する、請求項１１に記載の無線通信装置。
【請求項２０】
前記セル識別子は、前記複数のセルにおけるサービス提供セルに関連する、請求項１１に記載の無線通信装置。
【請求項２１】
無線通信のための装置であって、
複数のセルに共通のセル識別子を獲得する手段と、
前記セル識別子に少なくとも部分的に基づいて、準ランダム・シーケンス（ＰＲＳ）を生成する手段と、
前記ＰＲＳに少なくとも基づいて、前記複数のセルへ１または複数の基準信号を送信する手段と、
を備える装置。
【請求項２２】
前記ＰＲＳを生成する手段はさらに、前記セル識別子に少なくとも部分的に基づいて、前記ＰＲＳを初期化する、請求項２１に記載の装置。
【請求項２３】
前記獲得する手段はさらに、前記複数のセルに共通の１または複数のパラメータを獲得し、
前記生成する手段は、さらに前記１または複数のパラメータに少なくとも部分的に基づいて前記ＰＲＳを初期化する、請求項２２に記載の装置。
【請求項２４】
前記１または複数のパラメータは、シーケンス・シフト・パターンまたはコードワード・インデクスに関連する、請求項２３に記載の装置。
【請求項２５】
前記生成する手段はさらに、前記複数のセルのためのスロット・インデクス・アライメントを決定し、さらに前記スロット・インデクス・アライメントに少なくとも部分的に基づいて前記ＰＲＳを生成する、請求項２１に記載の装置。
【請求項２６】
前記セル識別子に少なくとも部分的に基づいて、期間にわたって前記ＰＲＳをサイクリックにシフトするためのランダム・シーケンスを生成する手段をさらに備える、請求項２５に記載の装置。
【請求項２７】
前記セル識別子に少なくとも部分的に基づいて、前記ＰＲＳのためのグループ・ホッピング・パターンを決定する手段をさらに備え、
前記生成する手段は、さらに前記グループ・ホッピング・パターンに少なくとも部分的に基づいて前記ＰＲＳを生成する、請求項２５に記載の装置。
【請求項２８】
前記セル識別子に少なくとも部分的に基づいて、前記ＰＲＳのためのシーケンス・ホッピングを決定する手段をさらに備え、
前記生成する手段は、さらに前記グループ・ホッピング・パターン内のシーケンス・ホッピングに少なくとも部分的に基づいて前記ＰＲＳを生成する、請求項２７に記載の装置。
【請求項２９】
前記獲得する手段は、前記セル識別子を基地局から受信するか、または、前記複数のセルに関連付けられた１または複数の基地局から受信した１または複数の別のセル識別子に少なくとも部分的に基づいて、前記セル識別子を生成する、請求項２１に記載の装置。
【請求項３０】
前記セル識別子は、前記複数のセルにおけるサービス提供セルに関連する、請求項２１に記載の装置。
【請求項３１】
無線通信における基準信号送信のためのコンピュータ・プログラム製品であって、
少なくとも１つのコンピュータに対して、
複数のセルに共通のセル識別子を決定させ、
前記セル識別子に少なくとも部分的に基づいて、準ランダム・シーケンス（ＰＲＳ）を生成させ、
前記ＰＲＳに少なくとも基づいて、類似のリソース割当によって前記複数のセルへ１または複数の基準信号を送信させる、
ための命令群を含むコンピュータ読取可能な媒体を備える、コンピュータ・プログラム製品。
【請求項３２】
前記少なくとも１つのコンピュータに対して前記ＰＲＳを生成させるための命令群は、前記セル識別子に少なくとも部分的に基づいて、前記ＰＲＳを初期化することによって、前記ＰＲＳを少なくとも部分的に生成する、請求項３１に記載のコンピュータ・プログラム製品。
【請求項３３】
前記コンピュータ読取可能な媒体はさらに、前記少なくとも１つのコンピュータに対して、前記複数のセルに共通の１または複数のパラメータを獲得させるための命令群を含み、
前記少なくとも１つのコンピュータに対して、前記ＰＲＳを生成させるための命令群は、さらに前記１または複数のパラメータに少なくとも部分的に基づいて前記ＰＲＳを初期化する、請求項３２に記載のコンピュータ・プログラム製品。
【請求項３４】
前記１または複数のパラメータは、シーケンス・シフト・パターンまたはコードワード・インデクスに関連する、請求項３３に記載のコンピュータ・プログラム製品。
【請求項３５】
前記コンピュータ読取可能な媒体はさらに、
前記少なくとも１つのコンピュータに対して、前記複数のセルのためのスロット・インデクス・アライメントを決定させルための命令群を含み、
前記少なくとも１つのコンピュータに対して、前記ＰＲＳを生成させるための命令群は、さらに前記スロット・インデクス・アライメントに少なくとも部分的に基づいて前記ＰＲＳを生成する、請求項３１に記載のコンピュータ・プログラム製品。
【請求項３６】
前記コンピュータ読取可能な媒体はさらに、前記少なくとも１つのコンピュータに対して、前記セル識別子に少なくとも部分的に基づいて、期間にわたって前記ＰＲＳをサイクリックにシフトさせるためのランダム・シーケンスを生成させるための命令群を含む、請求項３５に記載のコンピュータ・プログラム製品。
【請求項３７】
前記コンピュータ読取可能な媒体はさらに、前記少なくとも１つのコンピュータに対して、前記セル識別子に少なくとも部分的に基づいて、前記ＰＲＳのためのグループ・ホッピング・シーケンスを生成させるための命令群を含み、
前記少なくとも１つのコンピュータに対して、前記ＰＲＳを生成させるための命令群は、さらに前記グループ・ホッピング・パターンに少なくとも部分的に基づいて前記ＰＲＳを生成する、請求項３５に記載のコンピュータ・プログラム製品。
【請求項３８】
前記コンピュータ読取可能な媒体はさらに、前記少なくとも１つのコンピュータに対して、前記セル識別子に少なくとも部分的に基づいて、前記ＰＲＳのためのシーケンス・ホッピングを決定させるための命令群を含み、
前記少なくとも１つのコンピュータに対して、前記ＰＲＳを生成させるための命令群は、さらに前記グループ・ホッピング・パターン内のシーケンス・ホッピングに少なくとも部分的に基づいて前記ＰＲＳを生成する、請求項３７に記載のコンピュータ・プログラム製品。
【請求項３９】
前記少なくとも１つのコンピュータに対して前記セル識別子を決定させるための命令群は、前記セル識別子を基地局から受信すること、または、前記複数のセルに関連付けられた１または複数の基地局から受信した１または複数の別のセル識別子に少なくとも部分的に基づいて、前記セル識別子を生成すること、に少なくとも部分的に基づいて前記セル識別子を決定する、請求項３１に記載のコンピュータ・プログラム製品。
【請求項４０】
前記セル識別子は、前記複数のセルにおけるサービス提供セルに関連する、請求項３１に記載のコンピュータ・プログラム製品。
【請求項４１】
無線通信のための方法であって、
準ランダム・シーケンス（ＰＲＳ）に少なくとも部分的に基づいて１または複数の基準信号を受信することと、ここで、前記ＰＲＳは、複数のセルに共通のセル識別子に少なくとも部分的に基づいて生成される、
前記１または複数の基準信号を復号することと、
を備える方法。
【請求項４２】
前記ＰＲＳは、前記セル識別子に少なくとも部分的に基づいて初期化される、請求項４１に記載の方法。
【請求項４３】
前記ＰＲＳは、前記複数のセルに共通の１または複数のパラメータに少なくとも部分的に基づいて初期化され、前記１または複数のパラメータは、シーケンス・シフト・パターンまたはコードワード・インデクスに関連する、請求項４２に記載の方法。
【請求項４４】
前記セル識別子は、前記複数のセルに関連付けられた１または複数の基地局からの１または複数の別のセル識別子に少なくとも部分的に基づいて生成される、請求項４１に記載の方法。
【請求項４５】
前記セル識別子は、前記複数のセルにおけるサービス提供セルに関連する、請求項４１に記載の方法。
【請求項４６】
無線通信のための装置であって、
準ランダム・シーケンス（ＰＲＳ）に少なくとも部分的に基づいて１または複数の基準信号を受信する受信機と、ここで、前記ＰＲＳは、複数のセルに共通のセル識別子に少なくとも部分的に基づいて生成される、
前記１または複数の基準信号を復号するデコーダと、
を備える装置。
【請求項４７】
前記ＰＲＳは、前記セル識別子に少なくとも部分的に基づいて初期化される、請求項４６に記載の装置。
【請求項４８】
前記ＰＲＳは、前記複数のセルに共通の１または複数のパラメータに少なくとも部分的に基づいて初期化され、
前記１または複数のパラメータは、シーケンス・シフト・パターンまたはコードワード・インデクスに関連する、請求項４７に記載の装置。
【請求項４９】
前記セル識別子は、前記複数のセルに関連付けられた１または複数の基地局からの１または複数の別のセル識別子に少なくとも部分的に基づいて生成される、請求項４６に記載の装置。
【請求項５０】
前記セル識別子は、前記複数のセルにおけるサービス提供セルに関連する、請求項４６に記載の装置。
【発明の詳細な説明】
【優先権主張】
【０００１】
本特許出願は、“マルチ・ユーザＭＩＭＯ通信のための基準信号”（REFERENCE SIGNALS FOR MULTI-USER MIMO COMMUNICATION）と題された２００９年１０月１日出願の米国特許仮出願６１／２４７，８３９号に対する優先権を主張する。この仮出願は、本明細書の譲受人に譲渡され、本明細書に参照によって明確に組み込まれている。
【技術分野】
【０００２】
以下の説明は、一般に、無線通信に関し、さらに詳しくは、基準信号を生成し送信することに関する。
【背景技術】
【０００３】
無線通信システムは、例えば、音声、データ等のようなさまざまなタイプの通信コンテンツを提供するために広く開発された。一般に、無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
さらに、例えば、デバイスは、デバイスからの通信を復調することを支援するために、復調基準信号（ＤＭ−ＲＳ）を基地局へ送信する。例えばＬＴＥリリース８のようないくつかの無線通信システムでは、異種のデバイスに関連するＤＭ−ＲＳの直交性（または、少なくとも１つの擬似直交性）が、リソース要素のシーケンスの別のシフトにしたがってＤＭ−ＲＳを送信することによって実現されうる。このシフトは、デバイスが通信する基地局のセルに特有の識別子にしたがって少なくとも部分的に定義されうる。さらに、このシーケンスはまた、セルの識別子にしたがって初期化されうる。さらに、例において、無線通信システムは、アップリンク・マルチ・ユーザＭＩＭＯをサポートしうる。ここでは、複数のセル（および／または基地局）が、デバイスに、統合アップリンク・リソースをスケジュールしうる。したがって、デバイスは、（例えば、無線通信システムにおけるアップリンク帯域幅を増加させるために、）統合的にスケジュールされたアップリンク・リソースによって基地局と同時に通信しうる。
【発明の概要】
【０００６】
以下は、１または複数の態様の基本的な理解を与えるために、そのような態様の簡略化された概要を示す。この概要は、考えられるすべての態様の広範囲な概観ではなく、すべての態様の重要要素や決定的要素を識別することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
１または複数の実施形態および対応する開示によれば、マルチ・ユーザ複数入力複数出力（ＭＩＭＯ）モードにおける複数の基地局へ基準信号を送信するために、同じシーケンスを利用することを容易にすることに関連するさまざまな態様が記載される。例において、シーケンスの初期化、シーケンスのシフトの決定等を行い、シーケンスからセル依存性を効率的に取り除くために、共通のセル識別子が利用されうる。したがって、デバイスは、実質的に同じシーケンスを用いて、統合的にスケジュールされたアップリンク・リソースによって、基準信号を１または複数の基地局へ送信しうる。そして、基準信号は、基地局に特有のセル識別子を用いて符号化されないが、基地局は、この基準信号を適切に復号および／または処理しうる。
【０００８】
例によれば、複数のセルのために共通のセル識別子を獲得することと、このセル識別子に少なくとも部分的に基づいて、準ランダム・シーケンス（ＰＲＳ）を生成することと、を含む、無線通信における基準信号送信のための方法が提供される。この方法はさらに、ＰＲＳに少なくとも部分的に基づいて複数のセルへ１または複数の基準信号を送信することを含む。
【０００９】
別の態様では、一般に、複数のセルのために共通のセル識別子を決定し、このセル識別子に少なくとも部分的に基づいて、ＰＲＳを生成する、ように構成された少なくとも１つのプロセッサを含む、基準信号を送信するための無線通信装置が提供される。少なくとも１つのプロセッサはさらに、ＰＲＳに少なくとも部分的に基づいて、類似のリソース割当によって複数のセルへ１または複数の基準信号を送信するように構成されている。さらに、無線通信装置は、少なくとも１つのプロセッサに接続されたメモリをも備える。
【００１０】
また別の態様では、複数のセルのために共通のセル識別子を獲得する手段と、このセル識別子に少なくとも部分的に基づいて、ＰＲＳを生成する手段と、を含む、無線通信において基準信号を送信する装置が提供される。この装置はさらに、ＰＲＳに少なくとも基づいて、複数のセルへ１または複数の基準信号を送信する手段を含む。
【００１１】
また、別の態様では、少なくとも１つのコンピュータに対して、複数のセルのために共通のセル識別子を決定させるためのコードと、少なくとも１つのコンピュータに対して、このセル識別子に少なくとも部分的に基づいて、準ランダム・シーケンス（ＰＲＳ）を生成させるためのコードと、を有するコンピュータ読取可能な媒体を含む、無線通信において基準信号を送信するためのコンピュータ・プログラム製品が提供される。コンピュータ読取可能な媒体はさらに、少なくとも１つのコンピュータに対して、ＰＲＳに少なくとも基づいて、類似のリソース割当によって複数のセルへ１または複数の基準信号を送信させるためのコードを含む。
【００１２】
さらに、態様において、複数のセルのために共通のセル識別子を獲得するセル情報決定構成要素と、このセル識別子に少なくとも部分的に基づいて、ＰＲＳを生成するＰＲＳ初期化構成要素とを含む、無線通信において基準信号を送信するための装置が提供される。この装置はさらに、ＰＲＳに少なくとも部分的に基づいて、複数のセルへ１または複数の基準信号を送信する基準信号ＲＳ送信構成要素を含む。
【００１３】
さらに、別の態様では、準ランダム・シーケンス（ＰＲＳ）に少なくとも部分的に基づいて１または複数の基準信号を受信することと、１または複数の基準信号を復号することと、を含む、無線通信のための方法が提供される。ＰＲＳは、複数のセルのための共通のセル識別子に少なくとも部分的にも基づいて生成される。
【００１４】
それに加えて、態様では、準ランダム・シーケンス（ＰＲＳ）に少なくとも部分的に基づいて１または複数の基準信号を受信する受信機と、１または複数の基準信号を復号する復号器と、を含む、無線通信のための装置が提供される。ＰＲＳは、複数のセルのために共通のセル識別子に少なくとも部分的に基づいて生成される。
【００１５】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１６】
開示された態様は、以下において、同一符号が同一要素を示す添付図面と連携して説明され、開示された態様を、限定することなく例示するために提供される。
【図１】図１は、アップリンク・マルチ・ユーザ複数入力複数出力（ＭＩＭＯ）通信を可能にするシステム例を例示する。
【図２】図２は、共通のセル識別子に少なくとも部分的に基づいて基準信号（ＲＳ）を送信するためのシーケンスを生成するシステムの例を例示する。
【図３】図３は、複数のセルに共通のセル識別子に基づいて準ランダム・シーケンス（ＰＲＳ）を生成することを容易にするシステムの例を例示する。
【図４】図４は、セル識別子、または、１または複数の基地局または関連するセルに共通のその他のパラメータを決定するためのシステムの例を例示する。
【図５】図５は、複数のセルに共通のセル識別子に基づいて生成されたＰＲＳにしたがってＲＳを送信することを容易にする方法の例を例示する。
【図６】図６は、１または複数のセルに共通のセル識別子を取得するための方法の例を例示する。
【図７】図７は、ＲＳを送信するためのＰＲＳを決定し、サイクリックにシフトさせることを容易にする方法の例を例示する。
【図８】図８は、複数のセルに共通のセル識別子に基づいて生成されたＰＲＳにしたがってＲＳを送信することを容易にするシステムの例を例示する。
【図９】図９は、本明細書に記載されたさまざまな態様にしたがう無線通信システムの例を図示する。
【図１０】図１０は、本明細書で開示されたされたさまざまなシステムおよび方法と共に適用されうる無線ネットワーク環境の例を例示する。
【発明を実施するための形態】
【００１７】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１８】
本明細書にさらに記載するように、マルチ・ユーザ複数入力複数出力（ＭＩＭＯ）システムにおける直交性を維持しながら、基準信号（ＲＳ）送信からセル依存性が除去されうる。例えば、マルチ・ユーザＭＩＭＯシステムでは、類似のアップリンク・リソースで複数のセルへ単一の通信を送信しうる。いくつかのＲＳ（例えば、復調ＲＳ（ＤＭ−ＲＳ））の場合、デバイスは、ＲＳを送信するためのシーケンスの初期化、および、シーケンスのためのシフトの定義等を行いうる。これによって、複数のセルのうちの実質的にすべてが、ＲＳを復号できるようになる。この点に関し、デバイスは、ＲＳシーケンスの初期化、ＲＳシーケンスのシフト等を行い、セル特異性を取り除く際に、複数のセルに共通のセル識別子（または、複数のセルに共通のその他のパラメータ）を利用しうる。一例において、セル識別子は、（例えば、無線通信システムが、１つのサービス提供セルを考慮している場合、）サービス提供セルのものでありうる。これは、ＲＳを復号するために、他のセルへ提供されうる。別の例において、仮想セル識別子が生成され、デバイスおよび複数のセルによって利用され、ＲＳが処理される。同様に、他のパラメータが使用される場合、これら他のパラメータは、サービス提供セルに関連しうる。および／または、一貫したＲＳ処理のために、セル間で調整されうる。
【００１９】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２０】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２１】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２２】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からの文書に記述されている。さらに、ｃｄｍａ２０００およびＵＭＢは、「第３世代パートナシップ計画プロジェクト２」（３ＧＰＰ２）と命名された組織からの文書に記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２３】
さまざまな態様または特徴が、多くのデバイス、構成要素、モジュールなどを含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２４】
図１に示すように、マルチ・ユーザＭＩＭＯを使用して、無線ネットワークにおいて通信するための無線通信システム１００が例示されている。システム１００は、（図示しない）無線ネットワークへのアクセスを受信するために基地局１０４、１０６と通信するデバイス１０２を含む。例えば、デバイス１０２は、ＵＥ、モデム（またはその他のテザー・デバイス）、これらの一部、または、例えば中継ノード、モバイルまたはその他の基地局等のような無線ネットワークへのアクセスを受信しうる実質的に任意のデバイスでありうる。基地局１０４、１０６はおのおの、マクロセル、フェムトセル、ピコセル、または類似の基地局、中継ノード、モバイル基地局、ＵＥ（例えば、ピア・トゥ・ピアまたはアド・ホック・モードでデバイス１０２と通信する）、これらの一部、および／または、１または複数の異種のデバイスに、無線ネットワークへのアクセスを提供する実質的に任意のデバイスでありうる。この点に関し、例えば、デバイス１０２は、アップリンクによって基地局１０４および／または基地局１０６と通信しうる。および／または、ダウンリンクによって基地局１０４および／または基地局１０６から通信を受信しうる。
【００２５】
マルチ・ユーザＭＩＭＯでは、説明するように、デバイス１０２は、基地局１０４、１０６によってデバイス１０２に許可された実質的に類似のアップリンク・リソースによって、基地局１０４、１０６と同時に通信しうる。それに加えて、デバイス１０２は、例えばＤＭ−ＲＳ、サウンディングＲＳ（ＳＲＳ）等のようなＲＳを、アップリンク・リソースで基地局１０４、１０６へ送信しうる。デバイス１０２は、共有リソースによって基地局１０４および／または基地局１０６へ類似の信号を送信するその他のデバイスに関し、ＲＳを実質的に直交させるために、少なくとも部分的に１つのセル識別子に基づいて、例えばＤＭ−ＲＳのようないくつかのＲＳを生成しうる。この点において、デバイス１０２は、ＲＳを生成するために、基地局１０４および基地局１０６に共通のセル識別子（および／または、マルチ・ユーザＭＩＭＯにおいてデバイス１０２が通信しているその他の基地局）、または、基地局に共通のその他のパラメータを利用しうる。
【００２６】
一例において、デバイス１０２は、サービス提供セルのセル識別子（例えば、無線通信システムが、サービス提供セルを用いて明示している場合）、基地局１０４および／または基地局１０６に関連する仮想セル識別子（例えば、ネットワーク、基地局１０４、または基地局１０６によって生成されたセル識別子、基地局１０４および／または基地局１０６に関連するセル識別子の結合または他の組み合わせ、セルが類似のクラスタ内にある場合、クラスタ識別子）等を利用しうる。一例では、デバイス１０２は、基地局１０４および／または基地局１０６から、共通のセル識別子を受信しうる。別の例において、デバイス１０２は、共通のセル識別子を生成し、この共通のセル識別子を、基地局１０４および基地局１０６に提供しうる。これによって、基地局１０４および基地局１０６は、共通のセル識別子にしたがって、デバイス１０２からのＲＳを復号しうる。ＲＳを生成することは、ＲＳを送信するために準ランダム・シーケンス（ＰＲＳ）を生成することを含みうる。これは、本明細書にさらに説明するように、ＰＲＳに基づいて、ベース・シーケンスのためのシーケンス・シフトおよび／またはグループ・ホッピングを決定することと、ＰＲＳのためのさらなるサイクリック・シフトを定義すること等を含みうる。
【００２７】
したがって、別の例において、基地局１０４および基地局１０６は、例えばデバイス１０２のような１または複数のデバイスによって、および／または、バックホール・リンクによって通信しうる。一例において、基地局１０４は、デバイス１０２に関連するＲＳを生成するために使用されるべきセル識別子（例えば、基地局１０４のセル識別子、基地局１０４によって生成される識別子等）を生成しうるか、そうでなければ指定し、セル識別子を基地局１０６に通知しうる。別の例において、基地局１０４および基地局１０６はおのおの、（例えば、ハードコーディング、設定、仕様等にしたがって）デバイス１０２が通信しているセルのために特有の識別子に少なくとも部分的に基づいて、類似の指示にしたがってセル識別子を生成しうる。したがって、例えば、基地局１０４は、自己のセル識別子を基地局１０６に提供しうる。また、その逆もありうる。そして、基地局１０４、１０６は、受信した他の基地局のセル識別子との組み合わせ（例えば、結合等）に少なくとも部分的に基づいて、ＲＳを復号するためのセル識別子を生成しうる。また別の例において、基地局１０４、１０６は、（図示しない）１または複数のアップストリーム・ネットワーク構成要素からセル識別子を受信しうる。
【００２８】
図２に移って、複数のセルに共通のセル識別子にしたがって、複数のセルへＲＳを通信することを容易にする無線通信システム２００の例が例示されるシステム２００は、デバイス１０２を含む。デバイス１０２は、説明するように、マルチ・ユーザＭＩＭＯモードにおいて、例えば基地局１０４および基地局１０６のような複数の基地局と通信しうる。デバイス１０２は、無線ネットワークにおける複数のセルに共通のセル識別子を取得するセル識別子決定構成要素２０２と、直交性を保つために、セル識別子に少なくとも部分的に基づいて１または複数の基地局へＲＳを送信するためにＰＲＳを初期化するＲＳシーケンス生成構成要素２０４と、を含みうる。デバイス１０２はまた、ＰＲＳにしたがって、アップリンク・マルチ・ユーザＭＩＭＯリソースによって、複数の基地局へ１または複数のＲＳを送信するＲＳ送信構成要素２０６を含む。
【００２９】
例によれば、デバイス１０２は、説明するように、通信のために、基地局１０４、１０６からマルチ・ユーザＭＩＭＯリソースを受信しうる。これらリソースは、周波数位置および期間において実質的に類似しうる。そして、１または複数のリソース・ブロックに１または複数のリソース要素を含めうる。さらに、リソースは、（例えば、物理アップリンク共有チャネル（ＰＵＳＣＨ）または類似のチャネルにおいて）基地局１０４および／または基地局１０６によって提供された１または複数のセル内で通信している複数のデバイス間で共有されうる。デバイス１０２は、マルチ・ユーザＭＩＭＯ通信に関して通知されず、複数の基地局１０４、１０６からのリソース許可は透過的でありうる（例えば、および／または、単一のリソース許可として受信されうる）ことが認識されるべきである。しかしながら、別の例では、基地局１０４および／または基地局１０６は、マルチ・ユーザＭＩＭＯモード、および／または、マルチ・ユーザＭＩＭＯモードに含まれる基地局を示すインジケーションを、（例えば、高次レイヤまたはレイヤ２シグナリング等のような）シグナリングによってデバイス１０２へシグナルしうる。
【００３０】
さらに、例えば、リソース要素はおのおの、１または複数のリソース・ブロックにおける１または複数のシンボルの一部（例えば、周波数サブキャリア）でありうる。そして、１または複数のシンボルは、直交周波数分割多重（ＯＦＤＭ）シンボル、シングル・キャリア周波数分割多元接続（ＳＣ−ＦＤＭＡ）シンボル等に関連しうる。それに加えて、例えば、複数のシンボルが、スロットおよび／またはサブフレームを形成しうる（一例では、スロットは、複数のサブフレームから構成されうる）。そして、１または複数のサブフレームは、ラジオ・フレームに関連しうる。デバイス１０２は、説明するように、ＲＳを直交化するために、セル識別子に少なくとも部分的に基づいて定義されたＰＲＳにしたがって、リソース要素のセットによって、基地局１０４、１０６へＲＳを送信しうる。この点に関し、説明するように、基地局１０４、１０６によってサービス提供され、デバイス１０２が通信するセルに共通のセル識別子が、例えばＤＭ−ＲＳのようないくつかのＲＳのためのＰＲＳを定義するために利用されうる。
【００３１】
例において、セル識別子決定構成要素２０２は、ＲＳシーケンスを生成するために、デバイス１０２が通信する、基地局１０４、１０６のセルに共通のセル識別子を取得しうる。例えば、セル識別子決定構成要素２０２は、基地局１０４および／または基地局１０６からセル識別子を受信すること、関連するセルに特有の識別子に少なくとも部分的に基づいてセル識別子（例えば、特定の識別子、セルが類似のクラスタにある場合におけるクラスタ識別子等の結合またはその他の組み合わせ）を生成すること、等を行いうる。これによって、基地局１０４、１０６およびデバイス１０２はすべて、デバイス１０２からのＲＳを処理するために同じセル識別子を利用しうる。説明するように、例では、デバイス１０２は、マルチ・ユーザＭＩＭＯ通信に気付かないことがありうる。そして、基地局１０４または基地局１０６は、基地局１０４および基地局１０６に共通のセル識別子またはその他のパラメータを、リソース許可とともにデバイス１０２へ提供しうる。セル識別子がデバイス１０２によって生成されるか、あるいは、限定的または透過的に受信されるかのいずれの例でも、ＲＳシーケンス生成構成要素２０４は、基地局１０４、１０６に共通のセル識別子にしたがって、ＤＭ−ＲＳを送信するためのＰＲＳを定義しうる。
【００３２】
説明するように、例えば、ＲＳシーケンス生成構成要素２０４は、基地局１０４、１０６に共通のセル識別子に少なくとも部分的に基づいて、ＰＲＳを初期化することによって、ＰＲＳを少なくとも部分的に生成しうる。別の例では、ＲＳシーケンス生成構成要素２０４は、セル識別子に少なくとも部分的に基づいて、少なくとも部分的にグループまたはシーケンス・ホッピングを決定することに少なくとも部分的に基づいてＰＲＳを選択しうる。さらに、例において、ＲＳシーケンス生成構成要素２０４は、さらなる直交性を与えるために、ＲＳを送信するためにＰＲＳを（例えば、期間にわたって、別のＰＲＳにしたがって）サイクリックにシフトさせうる。何れの場合であれ、ＲＳ送信構成要素２０６は、少なくとも部分的にＰＲＳに基づいて、１または複数のＲＳを基地局１０４、１０６へ送信しうる。２つの基地局１０４、１０６に関連して示されているが、本明細書に記載された態様は、類似のアップリンク・リソースをデバイス１０２へ提供する実質的に任意の数の基地局のために実施されうる。
【００３３】
図３に示すように、複数のセルに共通のセル識別子にしたがって複数のセルへ通信するためにＲＳを生成する無線通信システム３００の例が例示される。システム３００は、マルチ・ユーザＭＩＭＯモードにおいて、例えば基地局１０４、１０６のような複数の基地局と通信しうるものとして記載されているデバイス１０２を含む。デバイス１０２は、セル識別子、および／または、無線ネットワークにおける複数のセルに共通のその他のパラメータを取得しうるセル情報決定構成要素３０２と、セル情報に少なくとも部分的に基づいて無線ネットワークにおいてＲＳを送信するためのＰＲＳを生成するＰＲＳ初期化構成要素３０４と、を含みうる。デバイス１０２はまた、セル情報に少なくとも部分的に基づいてＲＳのためのグループ・ホッピング・パターンを取得するグループ・ホッピング・パターン決定構成要素３０６と、セル情報に少なくとも部分的に基づいてＲＳのために、グループ内でシーケンス・ホッピングを取得するシーケンス・ホッピング決定構成要素３０８と、を含む。さらに、デバイス１０２は、１または複数の基地局に共通のセル識別子にしたがって、ＰＲＳのためのサイクリック・シフトをオプションで定義するサイクリック・シフト生成構成要素３１０と、ＰＲＳにしたがって複数の基地局へ、アップリンク・マルチ・ユーザＭＩＭＯリソースによって１または複数のＲＳを送信するＲＳ送信構成要素２０６と、を備える。
【００３４】
例によれば、説明するように、セル情報決定構成要素３０２は、説明するように、デバイス１０２が通信する、基地局１０４、１０６のセルに共通のセル識別子を取得しうる。ＰＲＳ初期化構成要素３０４は、セル識別子に少なくとも部分的に基づいて、基地局１０４、１０６へＲＳを同時に送信するためにＰＲＳを生成しうる。一例では、グループ・ホッピング・パターン決定構成要素３０６が、ＰＲＳのためのグループ・ホッピング・パターンを取得しうるか、および／または、シーケンス・ホッピング決定構成要素３０８が、セル識別子、および／または、基地局１０４、１０６に共通の１または複数の別のパラメータに少なくとも部分的に基づいて、ＰＲＳを決定するためのグループ内のシーケンスを取得しうる。この例では、ＰＲＳ初期化構成要素３０４は、グループ・ホッピング・パターン、および／または、グループ内のシーケンスに少なくとも部分的に基づいて、ＰＲＳを生成しうる。何れの場合も、ＲＳ送信構成要素２０６は、説明するように、ＰＲＳにしたがってＲＳを送信しうる。さらに、例において、サイクリック・シフト生成構成要素３１０は、オプションとして、さらなる直交性を与えるために、所与の期間、（例えば、異なるＰＲＳにしたがって）ＰＲＳへサイクリック・シフトを適用しうる。ここで、サイクリック・シフトは、所与の期間にわたって、異なるＰＲＳを用いて初期化されうる。
【００３５】
一例において、ＰＲＳ初期化構成要素３０４は、所望の長さのＰＲＳに少なくとも部分的に基づいて、ハードコーディング、設定、仕様等で指定された複数のＰＲＳからＰＲＳを選択しうる。この例では、セル情報決定構成要素３０２は、デバイス１０２が通信する、基地局１０４、１０６のセルに共通のパラメータを取得し、グループ・ホッピングがイネーブルされているかが示される（例えば、このパラメータは、基地局１０４および／または基地局１０６のうちの１または複数から受信され、基地局１０４、１０６から受信したパラメータに少なくとも部分的に基づいて生成され、その他のパラメータに関して説明された等されうる）。この例において、グループ・ホッピング・パターン決定構成要素３０６は、ＰＲＳの所与のスロットｎｓについてのグループ・ホッピング・パターンｆｇｈ（ｎｓ）を、以下の式に少なくとも部分的に基づいて決定しうる。これは、ＰＲＳを選択するために、ＰＲＳ初期化構成要素３０４によって利用されうる。  
【数１】
2013507061.tif 000003
【００３６】
ここで、ｃ（ｉ）は、以下の式によって定義される準ランダム・シーケンスである。  
【数２】
2013507061.tif 000004
【００３７】
ここで、Ｎｃ＝１６００である。さらに、この点に関し、ｃ（ｉ）は、長さ３１のゴールド・シーケンスでありうる。グループ・ホッピングがイネーブルされた場合、グループ・ホッピング・パターン決定構成要素３０６は、各ラジオ・フレームの先頭において、  
【数３】
2013507061.tif 000005
【００３８】
を用いてｃ（ｉ）を初期化しうる。ここで、  
【数４】
2013507061.tif 000006
【００３９】
は、説明するように、セル情報決定構成要素３０２によって取得された、基地局１０４、１０６に共通のセル識別子である。
【００４０】
グループ・ホッピング・パターン決定構成要素３０６は、さらに、グループ・ホッピング・パターンに関連するシーケンス・シフト・パターンを決定しうる。これはまた、ＰＲＳを選択するために、ＰＲＳ初期化構成要素３０４によって利用されうる。この例において、グループ・ホッピング・パターン決定構成要素３０６は、以下に類似した式にしたがって、ＰＲＳの所与のスロットに関し、デバイス１０２によって利用されるＰＵＳＣＨのために、シーケンス・シフト・パターン  
【数５】
2013507061.tif 000007
【００４１】
を決定する。  
【数６】
2013507061.tif 000008
【００４２】
ここで、  
【数７】
2013507061.tif 000009
【００４３】
であり、Δｓｓ∈｛０，１，・・・，２９｝である。Δｓｓは、基地局１０４、１０６に共通であり、さらに、セル情報決定構成要素３０２によって（例えば、基地局１０４または基地局１０６のうちの１または複数から取得される、基地局１０４、１０６からのパラメータに少なくとも部分的に基づいて生成される、等によって）取得されうることが理解されるべきである。１つの例において、グループ・ホッピング・パターン決定構成要素３０６は、この値を、グループ・ホッピング・パターンｆｇｈ（ｎｓ）に加え、シーケンス・グループ番号ｕを生成する。ＰＲＳ初期化構成要素３０４は、これから、ＰＲＳを決定しうる。
【００４４】
さらに、例では、セル情報決定構成要素３０２は、デバイス１０２が通信する、基地局１０４、１０６のセルに共通のパラメータを取得し、（例えば、このパラメータが、基地局１０４および／または基地局１０６のうちの１または複数から受信されうるか、基地局１０４、１０６から受信されたパラメータに少なくとも部分的に基づいて生成されるか、および／または、その他のパラメータに関して説明されたもの等のように）シーケンス・ホッピングがイネーブルされているかが示される。シーケンス・ホッピングがイネーブルされている場合、シーケンス・ホッピング決定構成要素３０８は、ＰＲＳに関連するグループ内で、シーケンス番号ｖを取得しうる。そして、ＰＲＳ初期化構成要素３０４は、スロットｎｓのシーケンス・グループ内のシーケンス・グループ番号ｕおよびシーケンス番号ｖにしたがってＰＲＳを選択しうる。シーケンス・ホッピング決定構成要素３０８は、シーケンス番号ｖを取得しうる。ここで、ＰＲＳの所望の長さは、少なくとも６シンボルである（例えば、それ以外の場合、ｖ＝０）ことが認識されるべきである。この場合、シーケンス・ホッピング決定構成要素３０８は、以下に類似した式にしたがってｖを計算しうる。  
【数８】
2013507061.tif 000010
【００４５】
シーケンス・ホッピングがイネーブルされている場合、シーケンス・ホッピング決定構成要素３０８は、おのおののラジオ・フレームの先頭において、  
【数９】
2013507061.tif 000011
【００４６】
を用いてｃ（ｉ）を初期化しうる。ここで、説明するように、  
【数１０】
2013507061.tif 000012
【００４７】
は、セル情報決定構成要素３０２によって取得された基地局１０４、１０６に共通のセル識別子であり、  
【数１１】
2013507061.tif 000013
【００４８】
は、シーケンス・シフト・パターンである。さらに、説明するように、ＰＲＳ初期化構成要素３０４は、ｕおよびｖにしたがって、デバイス１０２によって知られている複数のＰＲＳから、（例えば、ハードコーディング、設定、仕様等に基づいて）ＰＲＳを選択しうる。そして、ＲＳ送信構成要素２０６は、ＰＲＳにしたがって、類似のリソースによって、ＲＳを基地局１０４、１０６へ同時に送信しうる。
【００４９】
さらに、例では、基地局１０４、１０６のラジオ・フレームのスロット・インデクスが、揃えられうるが、相違することもありうる（例えば、基地局１０４におけるラジオ・フレームの最初のスロット・インデクスが０で始まる一方、基地局１０６における最初のスロット・インデクスは１で始まる）。この例において、セル情報決定構成要素３０２は、同様に、スロット・インデクス・アライメントを取得しうる。これは、（例えば、サービス提供セルからスロット・インデクスを受信すること、基地局１０４、１０６から受信したスロット・インデクスに少なくとも部分的に基づいてスロット・インデクスを決定すること等によって、）スロット・インデクスのセットと、および／または、基地局１０４、１０６のために共通の初期スロット・インデクスとを含めうる。したがって、ＰＲＳ初期化構成要素３０４は、上述され、さらにここで説明されるように、ＰＲＳの生成および／または初期化の際に、受信したスロット・インデクス・アライメントを利用しうる。
【００５０】
より具体的な例では、上述したように、ＤＭ−ＲＳについては、シーケンス・ホッピングおよびグループ・ホッピングがイネーブルされうる。そして、ＰＲＳは、これにしたがって、ＰＲＳ初期化構成要素３０４によって初期化されうる。さらに、サイクリック・シフト生成構成要素３１０は、更なる直交性を提供するために、ＰＲＳにサイクリック・シフトを適用しうる。したがって、例えば、ＰＲＳ初期化構成要素３０４は、前述したように、ＰＲＳを選択しうる。そして、サイクリック・シフト生成構成要素３１０は、セル識別子を用いて、ＬＴＥにおける場合と同様に、ＰＲＳのサイクリック・シフトを定義しうる。しかしながら、この例では、セル識別子は、上述したように、基地局１０４、１０６に共通でありうる。したがって、例えば、サイクリック・シフト生成構成要素３１０は、以下に類似した式にしたがって、ベース・シーケンスのサイクリック・シフトを定義しうる。  
【数１２】
2013507061.tif 000014
【００５１】
ここで、  
【数１３】
2013507061.tif 000015
【００５２】
は、セル特有および半固定的（例えば、さらに、一例では、セル情報決定構成要素３０２によって受信されうる）であり、  
【数１４】
2013507061.tif 000016
【００５３】
は、デバイス１０２に特有の識別子であり、基地局１０４、１０６によって、ＬＴＥにおける物理ダウンリンク制御チャネル（ＰＤＣＣＨ）ダウンリンク制御情報（ＤＣＩ）フォーマット０において動的に示されうる。そして、ｎＰＲＳ（ｎｓ）は、ＰＲＳである。この例では、ｎＰＲＳ（ｎｓ）は、上述したように、セル情報決定構成要素３０２によって取得されたセル識別子に少なくとも部分的に基づいてＰＲＳ初期化構成要素３０４によって生成されうるか、および／または、選択されうる。例えば、ＰＲＳ初期化構成要素３０４は、以下に類似した式にしたがってＰＲＳ、ｎＰＲＳ（ｎｓ）を定義しうる。  
【数１５】
2013507061.tif 000017
【００５４】
ここで、ｎｓ（＝０，１，・・・１９)は、スロット・インデクスに関連し、ｃ（ｉ）は、別のＰＲＳであり、  
【数１６】
2013507061.tif 000018
【００５５】
は、ＲＳを送信するために利用されうる可能なアップリンクの数である。さらに、ＰＲＳ初期化構成要素３０４は、この例において、以下に類似した式にしたがってＰＲＳを初期化しうる。  
【数１７】
2013507061.tif 000019
【００５６】
ここで、説明するように、  
【数１８】
2013507061.tif 000020
【００５７】
は、基地局１０４、１０６に共通のセル識別子であり、  
【数１９】
2013507061.tif 000021
【００５８】
は、シーケンス・シフト・パターンである。マルチ・ユーザＭＩＭＯ構成に、複数のコードワードが導入されている場合、ＰＲＳ初期化構成要素３０４は、上記式に  
【数２０】
2013507061.tif 000022
【００５９】
を加えることに少なくとも部分的に基づいてｃｉｎｉｔを生成しうることが認識されるべきである。ここで、ｑは、コードワード・インデクス（例えば、２つのコードワードの場合、０または１）である。上記式は、本明細書に記載された機能のうちの１つの可能な態様を例示することを意図されており、実質的に制限のない代替案が可能であり、シーケンス生成は、セル識別子、または、デバイス１０２が通信する複数のセルに共通であるように示されたその他のパラメータに依存しうることが認識されるべきである。
【００６０】
図４に移って、ＲＳを復号する目的のために、１または複数のセル間で共通のセル情報を通信する無線通信システム４００が例示されている。システム４００は、マルチ・ユーザＭＩＭＯモードにおいて、例えば基地局１０４、１０６のような複数の基地局と通信しうるものとして説明されているデバイス１０２を含む。基地局１０４、１０６は、説明するように、デバイス１０２からの基準信号を復号することを目的として、基地局１０４、１０６によって提供されるセルに共通のセル情報を少なくとも調整するために、バックホール・リンクによって通信しうる。基地局１０４は、基地局１０４およびその他の基地局について共通のセル情報を取得しうるセル情報決定構成要素４０２を備える。これは、デバイスが、ＲＳを送信するためのＰＲＳを生成する際に利用しうる。基地局１０４はさらに、デバイスからＲＳを取得するＲＳ受信構成要素４０４と、ＲＳを復号するＲＳ復号構成要素４０６とを備える。
【００６１】
例によれば、セル情報決定構成要素４０２は、デバイス１０２からの基準信号を復号するために、セル識別子、または、基地局１０４および基地局１０６（および／または、マルチ・ユーザＭＩＭＯにおけるデバイス１０２と通信するその他の基地局）に共通のその他のパラメータを取得しうる。一例では、これらその他のパラメータは、説明するように、Δｓｓや初期スロット・インデクス等に関連しうるか、あるいは、デバイスにおいてＲＳを生成する際に利用される実質的に任意の、セルに依存する値に関連しうる。さらに、例において、セル情報決定構成要素４０２は、基地局１０６、デバイス１０２、または別のネットワーク構成要素から、セル識別子またはその他のパラメータを取得しうる。別の例では、セル情報決定構成要素４０２は、セル識別子、または、基地局１０４にローカルなパラメータに少なくとも部分的に基づいて、セル識別子またはその他のパラメータを生成しうる。この例において、セル情報決定構成要素４０２は、デバイス１０２からのＲＳを復号する際に利用するために、セル識別子またはその他のパラメータを基地局１０６へ提供しうる。
【００６２】
さらに別の例では、セル情報決定構成要素４０２は、セル識別子、または、基地局１０６のその他のパラメータに少なくとも部分的にさらに基づいて、セル識別子またはその他のパラメータを生成しうる。したがって、一例では、セル情報決定構成要素４０２は、デバイス１０２が通信する基地局１０４、１０６のセルに関連するセル識別子を連結すること、セルが類似のクラスタ内にある場合に、クラスタ識別子を利用すること、等を行うことによって、基地局１０４、１０６に共通のセル識別子を生成しうる。さらに、一例では、セル情報決定構成要素４０２は、セル識別子、または、デバイス１０２が通信する、基地局１０４、１０６のセルに共通のその他のパラメータを、デバイス１０２へ提供しうる。
【００６３】
何れの場合であれ、ＲＳ受信構成要素４０４は、説明するように、セル識別子またはその他のパラメータに少なくとも部分的に基づいて生成されたＰＲＳにしたがってデバイス１０２から送信されたＲＳを取得しうる。そして、ＲＳ復号構成要素４０６は、セル識別子またはその他のパラメータに少なくとも部分的に基づいてＲＳを復号しうる。別の例では、デバイス１０２は、説明するように、セル情報決定構成要素４０２と同様に、セル識別子またはその他のパラメータを生成しうる。したがって、セル情報決定構成要素４０２は、このような情報をデバイス１０２へ送信する必要はない。さらに、例えば、基地局１０６もまた、セル識別子またはその他のパラメータを生成しうる。何れの場合であれ、デバイス１０２は、基準信号を生成するために、セル識別子、または、基地局１０４、１０６に共通のその他のパラメータを使用しうる。そして、基地局１０４、１０６は、同じセル識別子またはその他のパラメータを用いて、これら基準信号を復号しうる。
【００６４】
さらに、例において、セル情報決定構成要素４０２は、ＲＳを受信する１または複数のラジオ・フレームのために、（例えば、説明するように、スロット・インデクス（単数または複数）を決定または受信することによって）少なくとも初期スロット・インデクス（または、複数のインデクスからなるセット）を取得しうる。例えば、ＲＳ受信構成要素４０４は、デバイス１０２から適切にＲＳを受信し処理するために、受信されたものを用いて、基地局１０４の複数のスロット・インデクスを揃えうる。
【００６５】
図５−７を参照して、ＲＳを送信するために、特定のセル識別子に依存しないＰＲＳを生成することに関連する方法の例が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００６６】
図５に移って、複数のセルに共通のセル識別子に基づいて生成されたＰＲＳにしたがってＲＳを送信することを容易にする方法５００の例が示される。５０２では、複数のセルに共通のセル識別子が獲得されうる。説明するように、例えば、セル識別子は、複数のセルに関連しうる１または複数の基地局（例えば、サービス提供基地局）から受信されるか、１または複数の基地局から受信されたセル識別子に少なくとも部分的に基づいて生成（例えば、連結、関連するクラスタ識別子等）される、等されうる。５０４では、ＰＲＳが、セル識別子に少なくとも部分的に基づいて生成されうる。したがって、一例において、ＰＲＳは、セル識別子に基づく初期化、セル識別子に基づくサイクリックなシフト等がなされうる。さらに、説明するように、ＰＲＳは、複数のセルに共通の１または複数の追加のパラメータに基づいて生成されうることが認識されるべきである。５０６では、１または複数のＲＳが、少なくとも部分的にＰＲＳに基づいて、複数のセルへ送信されうる。
【００６７】
図６を参照して、１または複数のセルに共通のセル識別子に少なくとも部分的に基づいてＲＳを復号する方法６００の例が例示されている。６０２では、１または複数のセルに共通のセル識別子が取得されうる。説明するように、セル識別子は、ネットワーク構成要素等からの１または複数のセルのうちの少なくとも１つを実現する別の基地局から取得されうる。別の例では、セル識別子は、１または複数のセルのセル識別子、および／または、ローカル・セル識別子に少なくとも部分的に基づいて生成されうる。６０４では、ＲＳが、デバイスから受信され、６０６では、ＲＳが、セル識別子に少なくとも部分的に基づいて復号されうる。したがって、説明するように、デバイスは、ＲＳを生成するために、１または複数のセル間で共通のセル識別子を利用しうる。そして、ＲＳは、このセル識別子に基づいて復号されうる。この点に関して、説明されるように、復号は、１または複数のセルに関連する１または複数の基地局において類似しうる。
【００６８】
図７に移って、ＰＲＳにしたがってＲＳを送信することを容易にする方法７００の例が例示される。７０２では、ＰＲＳは、複数のセルに共通のセル識別子に関連するシーケンス・ホッピングまたはグループ・ホッピング・パターンに少なくとも部分的に基づいて決定されうる。したがって、例えば、ＰＲＳは、基地局に適用されるように、グループ・ホッピング・パターンと、グループ・ホッピング・パターン内のシーケンス・ホッピングとを決定することに基づいて選択されうる。７０４では、セル識別子に少なくとも部分的に基づいて、サイクリック・シフトがＰＲＳに適用されうる。これは、説明するように、ＰＲＳにさらなる直交性を提供しうる。７０６では、ＲＳは、ＰＲＳにしたがって、複数のセルへ送信されうる。さらに、例では、上述したように、ＲＳはＤＭ−ＲＳでありうる。
【００６９】
本明細書に記載された１または複数の態様によれば、推論は、説明されたように、セル識別子、または、複数のセルに共通のその他のパラメータ等を決定することに関してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７０】
図８を参照して、マルチ・ユーザＭＩＭＯにおける複数のセルのために生成されたＰＲＳにしたがってＲＳを送信するシステム８００が例示される。例えば、システム８００は、基地局、モバイル・デバイス等の中に少なくとも部分的に存在しうる。システム８００は、プロセッサ、ソフトウェア、またはこれらの組み合わせ（例えば、ファームウェア）によって実現される機能を表す機能ブロックでありうる機能ブロックを含むものとして示されることが認識されるべきである。システム８００は、連携して動作しうる電子構成要素の論理グループ８０２を含む。例えば、論理グループ８０２は、複数のセルに共通のセル識別子を獲得するための電子構成要素８０４を含みうる。例えば、説明するように、セル識別子は、セルから受信されうるか、および／または、受信されたその他のセル識別子に少なくとも部分的に基づいて生成されうる。さらに、論理グループ８０２は、セル識別子に少なくとも部分的に基づいてＰＲＳを生成するための電子構成要素８０６を備えうる。
【００７１】
説明するように、例えば、電子構成要素８０６は、セル識別子にしたがってＰＲＳを初期化すること、（例えば、グループ・ホッピング・パターン、および／または、セル識別子に基づいて決定されたシーケンス；・ホッピングにしたがって）ＰＲＳを選択すること、セル識別子に基づいてＰＲＳをサイクリックにシフトすること、等によってＰＲＳを生成しうる。さらに、論理グループ８０２は、ＰＲＳに少なくとも部分的に基づいて、１または複数のＲＳを複数のセルへ送信するための電子構成要素８０８を備えうる。したがって、（例えば、サービス提供セルに関連付けられているか、または、複数のセルのために生成されている）複数のセルに共通のセル識別子を用いることによって、システム８００に対してマルチ・ユーザＭＩＭＯアクセスを提供する複数のセルがＲＳを復号することを可能としながら、ＰＲＳを生成するために、セル識別子を用いることによって、ＲＳの直交性が維持されうる。さらに、システム８００は、電子構成要素８０４、８０６、８０８に関連付けられた機能を実行するための命令群を保持するメモリ８１０を含みうる。メモリ８１０の外側にあるとして示されているが、電子構成要素８０４、８０６、８０８のうちの１または複数は、メモリ８１０内に存在しうることが理解されるべきである。
【００７２】
図９に示すように、本明細書に示されたさまざまな実施形態にしたがう無線通信システム９００が例示されている。システム９００は、複数のアンテナ・グループを含むことができる基地局９０２を含む。例えば、１つのアンテナ・グループは、アンテナ９０４およびアンテナ９０６を含むことができ、別のグループはアンテナ９０８およびアンテナ９１０を備えることができ、さらに別のグループはアンテナ９１２およびアンテナ９１４を含むことができる。おのおののアンテナ・グループについて２本のアンテナしか例示されていないが、２本より多いアンテナ、または２本より少ないアンテナも、各グループのために利用されうる。基地局９０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００７３】
基地局９０２は、例えばモバイル・デバイス９１６およびモバイル・デバイス９２２のような１または複数のモバイル・デバイスと通信しうる。しかしながら、基地局９０２は、モバイル・デバイス９１６およびモバイル・デバイス９２２に類似した実質的に任意の数のモバイル・デバイスと通信しうることが理解されるべきである。モバイル・デバイス９１６、９２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム９００を介して通信するのに適切なその他任意のデバイスでありうる。図示するように、モバイル・デバイス９１６は、アンテナ９１２およびアンテナ９１４と通信している。ここで、アンテナ９１２およびアンテナ９１４は、順方向リンク９１８によってモバイル・デバイス９１６へ情報を送信し、逆方向リンク９２０によってモバイル・デバイス９１６から情報を受信する。さらに、モバイル・デバイス９２２はアンテナ９０４およびアンテナ９０６と通信している。ここで、アンテナ９０４およびアンテナ９０６は、順方向リンク９２４でアクセス端末９２２へ情報を送信し、逆方向リンク９２６でアクセス端末９２２から情報を受信する。周波数分割デュプレクス（ＦＤＤ）システムでは、例えば、順方向リンク９１８は、逆方向リンク９２０によって使用されるものとは異なる周波数帯域を使用し、順方向リンク９２４は、逆方向リンク９２６によって使用されるものとは異なる周波数帯域を使用することができる。さらに、時分割デュプレクス（ＴＤＤ）システムでは、順方向リンク９１８および逆方向リンク９２０は、共通の周波数帯域を使用し、順方向リンク９２４および逆方向リンク９２６は、共通の周波数帯域を使用することができる。
【００７４】
通信するように指定された領域および／またはアンテナのおのおののグループは、基地局９０２のセクタと称されうる。例えば、基地局９０２によってカバーされる領域のセクタ内のアクセス端末に通信するように、複数のアンテナが設計されうる。順方向リンク９１８、９２４による通信では、基地局９０２の送信アンテナは、モバイル・デバイス９１６、９２２の順方向リンク９１８、９２４の信号対雑音比を改善するためにビームフォーミングを利用しうる。また、基地局９０２が、関連付けられた有効通信範囲にランダムに散在したモバイル・デバイス９１６、９２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス９１６、９２２は、図示するように、ピア・トゥ・ピアまたはアド・ホック技術を用いて互いにダイレクトに通信しうる。例によれば、システム９００は、複数入力複数出力（ＭＩＭＯ）通信システムでありうる。
【００７５】
図１０は、無線通信システム１０００の例を示す。無線通信システム１０００は、簡潔さの目的で、１つの基地局１０１０と１つのモバイル・デバイス１０５０とを示している。しかしながら、システム１０００は、１より多い基地局、および／または、１より多いモバイル・デバイスを含むことができ、これら追加の基地局および／またはモバイル・デバイスは、以下に説明する基地局１０１０およびモバイル・デバイス１０５０の例と実質的に同じでも、別のものでもありうることが認識されるべきである。それに加えて、基地局１０１０および／またはモバイル・デバイス１０５０は、その間の無線通信を容易にするために、本明細書に記載されたシステム（図１−４、８−９）、および／または方法（図５−７）を適用しうることが認識されるべきである。
【００７６】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームが、それぞれのアンテナを介して送信される。ＴＸデータ・プロセッサ１０１４は、トラフィック・データ・ストリームをフォーマットし、このデータ・ストリームのために選択された特定の符号化スキームに基づいて符号化し、インタリーブして、符号化されたデータを提供する。
【００７７】
おのおののデータ・ストリームの符号化されたデータは、直交周波数分割多重（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１０５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１０３０によって実行または提供される指示によって決定されうる。
【００７８】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００７９】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００８０】
モバイル・デバイス１０５０では、送信された変調された信号が、ＮＲ個のアンテナ１０５２ａ乃至１０５２ｒによって受信され、おのおののアンテナ１０５２からの受信信号が、受信機（ＲＣＶＲ）１０５４ａ乃至１０５４ｒそれぞれに提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８１】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００８２】
プロセッサ１０７０は、上述したように、どのプリコーディング行列を使用するのかを定期的に決定する。さらに、プロセッサ１０７０は、行列インデクス部およびランク値部を備えた逆方向リンク・メッセージを規定することができる。
【００８３】
逆方向リンク・メッセージは、通信リンクおよび／または受信されたデータ・ストリームに関するさまざまなタイプの情報を備えうる。逆方向リンク・メッセージは、ＴＸデータ・プロセッサ１０３８によって処理され、変調器１０８０によって変調され、送信機１０５４ａ乃至１０５４ｒによって調整され、基地局１０１０へ送り戻される。なお、ＴＸデータ・プロセッサ１０３８はまた、多くのデータ・ストリームに関するトラフィック・データをデータ・ソース１０３６から受信する。
【００８４】
基地局１０１０では、モバイル・デバイス１０５０からの変調信号が、アンテナ１０２４によって受信され、受信機１０２２によって調整され、復調器１０４０によって復調され、ＲＸデータ・プロセッサ１０４２によって処理されて、モバイル・デバイス１０５０によって送信された逆方向リンク・メッセージを抽出する。さらに、プロセッサ１０３０は、ビームフォーミング重みを決定するためにどのプリコーディング行列を使用するかを決定するために、この抽出されたメッセージを処理する。
【００８５】
プロセッサ１０３０およびプロセッサ１０７０は、基地局１０１０およびモバイル・デバイス１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００８６】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００８７】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【００８８】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能な媒体に格納されうるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００８９】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013507061.tif 000023
【図２】
2013507061.tif 000024
【図３】
2013507061.tif 000025
【図４】
2013507061.tif 000026
【図５】
2013507061.tif 000027
【図６】
2013507061.tif 000028
【図７】
2013507061.tif 000029
【図８】
2013507061.tif 000030
【図９】
2013507061.tif 000031
【図１０】
2013507061.tif 000032
【国際調査報告】
2013507061.tif 000033
2013507061.tif 000034
2013507061.tif 000035